(57)【要約】      （修正有）【課題】全体の構成が簡単で安価に製造出来、しかも芳香含浸物の出し入れが容易なペンダントを目的とする。【解決手段】内部に空洞を有するペンダント本体２の開口部３にヒンジ部５を介して蓋体４を相互に連結したペンダント１。【選択図】図１
0003113218.tif 000002
【実用新案登録請求の範囲】
【請求項１】
空洞状のペンダント本体の開口部にヒンジ部を介して蓋体を開閉自在に取付け、かつ前記ペンダント本体内に芳香成分の含浸物を収納して構成したことを特徴としたペンダント。
【請求項２】
前記ペンダント本体の外表面に所望の凹模様或は凸模様を施して装飾したことを特徴とした請求項１のペンダント。 
【考案の詳細な説明】
【技術分野】
【０００１】
本考案は首飾り等に使用されるペンダントに係り、特に内部に芳香成分の含浸物を収納し得る芳香収納タイプのペンダントに関するものである。
【背景技術】
【０００２】
この種の芳香発散タイプのペンダントとしては、例えば実開平６−３８６２８号公報（特許文献１）、実用新案登録第３０７３２７０号公報（特許文献２）、実用新案登録第３０４０６５５号公報（特許文献３）等に示す技術が知られている。
【０００３】
前記特許文献１は、筒状本体の上部開口部に蓋体の下部をネジ込んで筒状本体を閉鎖し、かつ筒状本体の内に芳香体を収納し、前記蓋体に穿設したピンホールより芳香を発散するようにしたペンダントである。
【０００４】
前記特許文献２は、基本的に前記特許文献１と類似する構造を有するものであるが、特許文献２の場合には、蓋体の下端部に芳香体を挿入保持させ、蓋体をペンダント本体の開口部にネジ込む際に、前記芳香体をペンダント本体の中空部に吊下げて収納するようにした構造である。
【０００５】
前記特許文献３は、中空本体よりなるアクセサリーの上部開口部にピンホール孔を有する蓋体をバネ嵌合させ、かつ中空本体内に凹部を有する水平仕切板を取付け固定し、その仕切板の凹部に芳香剤を収納するようにしたペンダントに関する技術である。
【０００６】
【特許文献１】実開平６−３８６２８号公報
【特許文献２】実用新案登録第３０７３２７０号公報
【特許文献３】実用新案登録第３０４０６５５号公報
【考案の開示】
【考案が解決しようとする課題】
【０００７】
然るに、前記特許文献１乃至特許文献３に関する技術に於ては、いずれも内部に芳香体を収納し、かつこの芳香体から発散する芳香を外部に徐々に放出する技術であるが、前者の特許文献１及び特許文献２は、ペンダント本体の開口部に蓋体をネジ嵌合する構造であるので、ペンダント本体と蓋体との一部に雄雌係合し得るネジを設けなければならないので、構造が複雑であり、かつ芳香体の出し入れ等の操作が面倒であった。また、芳香体の出し入れには、その都度蓋体を除去しなければならないので、蓋体を紛失する恐れもある等の問題があった。
【０００８】
前記特許文献３の構造は、ペンダント本体に蓋体をバネ嵌合させるので構造が複雑になりコスト高になる問題があった。更に、ペンダント本体の中空部に芳香剤を収納する凹部を持った水平仕切板を取付けなければならないので、その加工作業が複雑である等の問題があった。
【課題を解決するための手段】
【０００９】
本考案に係るペンダントは、前述の従来技術の多くの問題点に鑑み開発された全く新しい技術であって、その第１の構成は、空洞状のペンダント本体の開口部にヒンジ部を介して蓋体を開閉自在に取付け、かつ前記ペンダント本体内に芳香成分の含浸物を収納して構成したことを特徴としたペンダントである。
【００１０】
また、第２の構成は、前記ペンダント本体の外表面に所望の凹模様或は凸模様を施して装飾したことを特徴とした第１考案のペンダントである。
【考案の効果】
【００１１】
前記本考案の第１考案は、ペンダントを空洞状のペンダント本体と蓋体とで構成し、かつ前記蓋体をペンダント本体にヒンジ部を介して開閉自在に連結したので、両者を一体的に構成することが出来る。かつ蓋体はヒンジ部を介して簡単に開閉し、ペンダント本体内に芳香成分の含浸物を容易に収納したり、或は取り出して取替えることが出来る。
【００１２】
前記第２考案は、前述のようにペンダント本体の外表面に所望の凹模様或は凸模様を施して装飾したので、芳香体を収納する目的の他に外観を美しくし、高級感を現出し、商品価値を高めることが出来る。
【考案を実施するための最良の形態】
【００１３】
図により本考案に係るペンダントの一実施例を具体的に説明すると、図１は本考案に係る第１実施例のペンダントの斜視図、図２は図１のペンダントの横断面説明図、図３は第２実施例のペンダントの斜視図、図４は第３実施例のペンダントの斜視図である。
【００１４】
図１及び図２に於て、１は本考案に係る第１実施例のボックス型のペンダントであって、空洞状のペンダント本体２とこのペンダント本体２の開口部３を閉鎖し得る蓋体４とで構成されている。また、これ等のペンダント本体２と、蓋体４とは、ヒンジ部５を介して相互に連結されている。
【００１５】
前記ペンダント本体２の内部には、所定の内径を有する凹部６が設けられ、かつ蓋体４の内面には、この凹部６に嵌入係止し得る突起７が突設されている。また、ペンダント本体２及び蓋体４の一部には芳香を発散するためのピンホール孔（図示せず）を設けることも可能である。
【００１６】
前記ペンダント本体２及び蓋体４の外表面には凹凸模様８が設けられて、ペンダント１の外観を美しくしている。９はペンダント１内に収納された芳香成分の含浸物である。含浸物９の素材としては、綿、紙、不織布、発泡プラスチック材等種々の素材が使用可能である。
【００１７】
前記ペンダント本体２及び蓋体４は一般的に金属が使用されるが、プラスチック材で構成することも可能である。金属の場合にはプレス加工で成形することが出来、プラスチック材の場合には、射出成形方式で成形することが可能である。
【００１８】
前記第１実施例に於ては、ボックス型のペンダント１について説明したが、図３に示す如く、第２実施例の長方形箱型のペンダント１０をペンダント本体１１とこれに被蓋し得る蓋体１２とによって構成することも可能である。
【００１９】
この場合にもペンダント本体１１と蓋体１２とは所定の構造を持ったヒンジ部１３によって相互に開閉自在に連結されている。
【００２０】
さらに、図４に示す第３実施例のように十字形箱型のペンダント１４をペンダント本体１５と蓋体１６とによって構成することも可能である。この場合にも、ペンダント本体１４と蓋体１６とは所定のヒンジ部１７を介して開閉自在に連結されている。
【００２１】
本考案に係るペンダント１、１０、１４はいずれもペンダント本体２、１１、１５にヒンジ部５、１３、１７を介して蓋体４、１２、１６を介して連結されているので、全体が一体的に構成されており、蓋体４、１２、１６を紛失する心配がない。
【００２２】
かつ、全体の構成が極めて簡単であって、安価に大量生産することが出来る。さらに蓋体４、１２、１６をヒンジ部を介して簡単に開閉し得るので操作が容易で、かつ芳香成分の含浸物９を簡単に出し入れすることが出来る。
【産業上の利用可能性】
【００２３】
本考案に係るペンダントの技術は、種々のアクセサリーにも応用することが出来る。
【図面の簡単な説明】
【００２４】
【図１】本考案に係る第１実施例のペンダントの斜視図である。
【図２】図１のペンダントの横断面説明図である。
【図３】第２実施例のペンダントの斜視図である。
【図４】第３実施例のペンダントの斜視図である。
【符号の説明】
【００２５】
１      ・・・ペンダント
２      ・・・ペンダント本体
３      ・・・開口部
４      ・・・蓋体
５      ・・・ヒンジ部
６      ・・・凹部
７      ・・・突起
８      ・・・凹凸模様
９      ・・・含浸物
１０    ・・・ペンダント
１１    ・・・ペンダント本体
１２    ・・・蓋体
１３    ・・・ヒンジ部
１４    ・・・ペンダント
１５    ・・・ペンダント本体
１６    ・・・蓋体 
【図１】
0003113218.tif 000003
【図２】
0003113218.tif 000004
【図３】
0003113218.tif 000005
【図４】
0003113218.tif 000006